(57)【要約】【課題】ノズル部材からの液垂れを抑制できるトリガー式液体噴出器を提供する。【解決手段】液体が収容された容器体Ａに装着される噴出器本体２と、噴出器本体２の前方側に配設され、液体を噴出する噴出孔６が形成されたノズル部材５と、を備えるトリガー式液体噴出器。ノズル部材５は、前方に向かって開口する噴出孔６を有するノズル壁部１００と、ノズル壁部１００の前側面から前方側へ延びて噴出孔６を囲むノズル筒部１０４と、ノズル壁部１００において、前方側から見て噴出孔６を中心とするノズル径方向に沿って配置される複数のリブ１１１，１１２と、を有する。複数のリブ１１１，１１２は、噴出孔６からノズル径方向の外周側へ向かうに従って、前後方向の長さが大きくなる形状を有する。【選択図】図１
2020082041.tif 000002
【特許請求の範囲】
【請求項１】
液体が収容された容器体に装着される噴出器本体と、
前記噴出器本体の前方側に配設され、液体を噴出する噴出孔が形成されたノズル部材と、を備え、
前記ノズル部材は、
前方に向かって開口する前記噴出孔を有するノズル壁部と、
前記ノズル壁部の前側面から前方側へ延びて前記噴出孔を囲むノズル筒部と、
前記ノズル壁部の前側面において、前方側から見て前記噴出孔を中心とするノズル径方向に沿って配置される複数のリブと、
を有し、
前記複数のリブは、前記噴出孔からノズル径方向の外周側へ向かうに従って、前後方向の長さが大きくなる形状を有する、トリガー式液体噴出器。
【請求項２】
前記複数のリブは、前方側から見て前記噴出孔を中心とするノズル周方向に等間隔に配置される、
請求項１に記載のトリガー式液体噴出器。
【請求項３】
前記ノズル部材は、前記複数のリブとして、前記ノズル径方向において第１の長さを有する長リブと、前記ノズル径方向において前記長リブよりも短い第２の長さを有する短リブとを有し、
前記短リブは、前記ノズル周方向に隣り合う前記長リブの間に配置される、
請求項１または２に記載のトリガー式液体噴出器。
【発明の詳細な説明】
【技術分野】
【０００１】
本発明は、トリガー式液体噴出器に関する。
【背景技術】
【０００２】
従来から、下記特許文献１に記載のトリガー式液体噴出器が知られている。このトリガー式液体噴出器は、液体が収容された容器体に装着される噴出器本体と、噴出器本体の前方側に配置され、液体を噴出する噴出孔が形成されたノズル部材と、を備える。
【先行技術文献】
【特許文献】
【０００３】
【特許文献１】特開２０１１−１７３０９２号公報
【発明の概要】
【発明が解決しようとする課題】
【０００４】
従来のトリガー式液体噴出器では、ノズル部材から液体を噴射させる圧力が液体の供給路に残っていたり、トリガーを少しだけ引いたりすると、液体が噴霧されずに噴出孔から漏れ出て、噴出孔の周辺に付着する場合があった。噴出孔の周辺に付着した液体はノズル部材の下部に溜まり、ノズル部材から垂れ落ちて使用者の指などに付着することがあった。
【０００５】
本発明は、前述した事情に鑑みてなされたものであって、ノズル部材からの液垂れを抑制できるトリガー式液体噴出器を提供することを目的とする。
【課題を解決するための手段】
【０００６】
上記課題を解決するために、本発明は以下の手段を提案している。
本発明の一態様によるトリガー式液体噴出器は、液体が収容された容器体に装着される噴出器本体と、前記噴出器本体の前方側に配設され、液体を噴出する噴出孔が形成されたノズル部材と、を備え、前記ノズル部材は、前方に向かって開口する前記噴出孔を有するノズル壁部と、前記ノズル壁部の前側面から前方側へ延びて前記噴出孔を囲むノズル筒部と、前記ノズル壁部の前側面において、前方側から見て前記噴出孔を中心とするノズル径方向に沿って配置される複数のリブと、を有し、前記複数のリブは、前記噴出孔からノズル径方向の外周側へ向かうに従って、前後方向の長さが大きくなる形状を有する。
【０００７】
上記構成のトリガー式液体噴出器によれば、ノズル部材が、ノズル壁部の前側面において、前方側から見て噴出孔を中心とするノズル径方向に沿って配置される複数のリブを有することで、噴出孔から噴射されずに噴出孔の周辺に付着した液体を、リブの間の狭い領域に案内し、液体の表面張力によってリブの間に保持できる。これにより、ノズル筒部内に溜まった液体がノズル筒部の外側へ液垂れするのを抑制できる。
また、複数のリブが、ノズル径方向の外周側に向かうに従って前後方向の長さが大きくなる形状を有することにより、噴出孔から円錐状に広がるように液体を噴霧する場合でも、噴霧された液体とリブとの接触が抑制される。したがって、上記構成のトリガー式液体噴出器によれば、液体の噴出状態に影響を与えることなく液垂れを抑制できる。
【０００８】
前記複数のリブは、前方側から見て前記噴出孔を中心とするノズル周方向に等間隔に配置される構成としてもよい。この構成によれば、ノズル周方向におけるリブ同士の間隔が一定の大きさになるので、どのリブ同士の隙間に液体が溜まっても安定に保持できる。
【０００９】
前記ノズル部材は、前記複数のリブとして、前記ノズル径方向において第１の長さを有する長リブと、前記ノズル径方向において前記長リブよりも短い第２の長さを有する短リブとを有し、前記短リブは、前記ノズル周方向に隣り合う前記長リブの間に配置される構成としてもよい。この構成によれば、ノズル径方向の外周側の長リブ同士の間隔が大きくなる領域に、短リブが配置されるため、リブ同士の間隔を狭くできる。これにより、リブ間に保持される液体とリブとの接触面積を増やすことができ、表面張力によって液体を保持しやすくなる。
【発明の効果】
【００１０】
本発明によれば、ノズル部材からの液垂れを抑制できる。
【図面の簡単な説明】
【００１１】
【図１】本発明に係る実施形態として示したトリガー式液体噴出器について、一部を縦断面図とした側面図である。
【図２】ノズル部材を前方から見た正面図である。
【図３】ノズル部材の取り付け部分を示すトリガー式液体噴出器の部分断面図である。
【図４】ノズル部材の作用説明図である。
【発明を実施するための形態】
【００１２】
以下、図１から図３を参照し、この発明の実施の形態について説明する。
本実施形態に係るトリガー式液体噴出器１は、液体が収容された容器体Ａに装着される噴出器本体２と、噴出器本体２に配設され、容器体Ａ内の液体を噴射する噴出孔６が前方に向けて開口するノズル部材５と、を備えている。
【００１３】
以下の説明において、噴出孔６の中心軸線Ｏに沿う方向を前後方向といい、トリガー式液体噴出器１のうち、前後方向に沿うノズル部材５側を前方、その反対側を後方という。
また、前後方向から見た正面視で、中心軸線Ｏと交差する方向をノズル径方向といい、中心軸線Ｏ周りに周回する方向をノズル周方向という。
また、噴出器本体２と容器体Ａとが並ぶ方向を上下方向といい、上下方向に沿って容器体Ａ側を下側、その反対側を上側という。
【００１４】
図１および図２に示すように、噴出器本体２は、前方付勢状態で後方に揺動自在に配設されたトリガー部１１と、トリガー部１１の前後動に伴って作動するポンプ部１２と、ポンプ部１２を一体に覆うカバー部１３と、容器体Ａの口部に装着される装着キャップ１４と、を備えている。
【００１５】
トリガー部１１は、上下方向に延びるとともに、その上端部が左右方向に延びる軸線周りに回転可能に支持されることにより、前後方向に揺動自在に配設されている。
ポンプ部１２は、ピストンおよびシリンダを備えている。ピストンは、シリンダ内に配設されているとともに、シリンダ内から前方に突出した前端部が、トリガー部１１の上端部における後側に連結されている。シリンダは前方に向けて開口している。ピストンは、トリガー部１１の前後動に伴って、シリンダ内を前後方向に摺動する。
【００１６】
ポンプ部１２は、トリガー部１１の前後への揺動に伴って、ピストンがシリンダ内を前後方向に摺動することで、シリンダの内部が加圧および減圧されて作動する。これにより、トリガー式液体噴出器１は、シリンダ内の液体を噴出孔６から噴射するとともに、容器体Ａ内の液体をシリンダ内に吸い上げる。
【００１７】
ノズル部材５は、前方に向けて液体を噴射させるためのものであり、正面視において略円形状である。ノズル部材５の正面視における中央部に、噴出孔６が形成されている。トリガー部１１およびノズル部材それぞれにおける左右方向の中央部の位置は、互いに同等となっている。
【００１８】
ノズル部材５は、噴出孔６からの、容器体Ａ内の液体の噴射が可能となる噴射可能位置と、噴出孔６からの、容器体Ａ内の液体の噴射が規制される噴射規制位置と、の間を、噴出器本体２に対して、周方向に回転可能とされている。図示の例では、ノズル部材５は、噴出器本体２との嵌合部分に形成された係止部の作用により、噴射規制位置と、噴射規制位置から周方向の一方側に位置する噴射可能位置と、の間を周方向に回転可能とされている。
【００１９】
ノズル部材５は、噴出器本体２の前方側の端部に位置する中継部材４を介して噴出器本体２に装着される。中継部材４は、図３に示すように、噴出器本体２内の射出筒部１０の前端開口部を前方から覆う隔壁９０と、隔壁９０から後方に向けて延び、射出筒部１０に外嵌された外嵌筒部９１と、隔壁９０から前方に向けて延び、ノズル部材５が装着された第１装着筒部９２と、隔壁９０のうち、第１装着筒部９２の内側に位置する部分から前方に向けて延びるガイド軸部９４と、を備える。
【００２０】
第１装着筒部９２、およびガイド軸部９４は、前後方向に延びる中心軸線Ｏと同軸に配設されている。
ガイド軸部９４は、前端部が閉塞され、かつ後方に開口した有頂筒状に形成されている。ガイド軸部９４は第１装着筒部９２よりも前方に突出することなく、第１装着筒部９２の内側に収まるように形成されている。
なお、ガイド軸部９４の形状はこの場合に限定されるものではなく、例えば中実の円柱状に形成しても構わない。
【００２１】
ガイド軸部９４と第１装着筒部９２との間に画成された環状空間９６は、隔壁９０に形成された連通孔９５を通じて射出筒部１０内に連通している。
ガイド軸部９４における前端部側の外周面に、前後方向に延びるとともに前方に向けて開口する第１切換溝９７が形成されている。第１切換溝９７は周方向に等間隔をあけて２つ形成されている。ただし、第１切換溝９７の数は２つに限定されるものではなく、例えば１つ或いは３つ以上形成されていても良い。
【００２２】
ノズル部材５は、図１および図３に示すように、第１装着筒部９２を介して中継部材４に装着されることで、中継部材４に対して前方から一体に組み合わされている。ノズル部材５は、噴出器本体２の前方側の端部に配置される。本実施形態では、ノズル部材５は中継部材４に対して中心軸線Ｏ回りに回転可能に装着されている。
【００２３】
ノズル部材５は、図３に示すように、ガイド軸部９４の前端面、および第１装着筒部９２の前端開口を前方から覆い、かつ噴出孔６が形成されたノズル壁部１００と、ノズル壁部１００から後方に向けて延び、第１装着筒部９２に対して前方に抜け止めされた状態で回転可能に外嵌された第２装着筒部１０１と、ノズル壁部１００のうち、第２装着筒部１０１の内側に位置する部分から後方に向けて延び、ガイド軸部９４に回転可能に外嵌された第２嵌合筒部１０２と、ノズル壁部１００の外周縁から前方に向けて延びるノズル筒部１０４と、ノズル筒部１０４の内側に放射状に形成された複数の長リブ１１１および複数の短リブ１１２と、を備える。
【００２４】
第２嵌合筒部１０２は、ガイド軸部９４の第１切換溝９７を全域にわたってノズル径方向の外側から覆っている。第２嵌合筒部１０２の後端縁は、第１切換溝９７より後方に位置している。第２嵌合筒部１０２の内周面に、前後方向に延びるとともに、後方に開口する第２切換溝１０３が形成されている。第２切換溝１０３は周方向に等間隔をあけて２つ形成されている。なお、第２切換溝１０３の数は２つに限定されるものではなく、例えば１つ或いは３つ以上形成されていても良く、第１切換溝９７に対応して配置することが好ましい。
ノズル部材５および噴出器本体２のノズル周方向の相対位置を変えることで、第１切換溝９７と第２切換溝１０３との連通、およびその遮断が切替えられるようになっている。
【００２５】
ノズル部材５は、第２装着筒部１０１と第２嵌合筒部１０２との間に位置するとともにノズル壁部１００から後方に向けて延び、第１装着筒部９２の内側に中心軸線Ｏ回りに回転可能に嵌合するサポート筒部１０５と、ノズル壁部１００の外周縁部から後方に向けて延び、第２装着筒部１０１をノズル径方向の外側から囲繞する外郭筒部１０６と、を備える。外郭筒部１０６の後端開口縁は、カバー部１３の前端縁に前後方向で近接している。
【００２６】
噴出孔６は中心軸線Ｏと同軸に配置されている。噴出孔６は、ノズル壁部１００の前側面１００ａから後側へ凹む凹部６ａを有する。凹部６ａは、前方側へ向かうに従って径が広がる円錐台状の窪みである。
ノズル壁部１００の後面のうち、第２嵌合筒部１０２の内側に位置する部分に、噴出孔６が開口し、かつ液体を内部でノズル周方向に旋回させる凹状のスピン室１１０と、スピン室１１０と第１切換溝９７とを連通する不図示のスピン溝と、が形成されている。
【００２７】
スピン室１１０は、ノズル壁部１００の後面に前方に向かって窪んで形成され、前後方向から見て円形状を呈する。スピン溝は、ノズル壁部１００にノズル周方向に間隔をあけて２つ形成され、前後方向から見てスピン室１１０の内周面の接線方向に延びている。
第１切換溝９７からの液体を、スピン溝およびスピン室１１０をこの順に通過させることで、液体を噴出孔６からスピンをかけた状態で噴出する。
【００２８】
ノズル筒部１０４は、ノズル壁部１００の外周縁から前方側へ延びる。ノズル筒部１０４は、前後方向から見て、円形状である。ノズル筒部１０４は、前後方向に延びる中心軸線Ｏと同軸に配置される。前後方向から見て、ノズル筒部１０４の中心位置に噴出孔６が配置される。
【００２９】
ノズル部材５は、ノズル壁部１００の前側面１００ａとノズル筒部１０４の内周面１０４ａに接続し、前方側から見て噴出孔６を中心とするノズル径方向に沿って配置される複数の長リブ１１１および複数の短リブ１１２を有する。長リブ１１１は、ノズル径方向において第１の長さＬ１を有するリブである。短リブ１１２は、ノズル径方向において、長リブ１１１よりも短い第２の長さＬ２を有するリブである。
【００３０】
長リブ１１１および短リブ１１２は、図２に示すように、前後方向から見て、噴出孔６を中心とする放射状に配置される。本実施形態では、１０個の長リブ１１１が、ノズル周方向において等間隔に配置される。また、１０個の短リブ１１２が、ノズル周方向において等間隔に配置される。短リブ１１２は、ノズル径方向において長リブ１１１の半分程度の長さであり、ノズル周方向において隣り合う２つの長リブの中間に位置する。
【００３１】
長リブ１１１および短リブ１１２は、いずれも、図３に示すように、ノズル壁部１００の前側面１００ａから前方側へ起立する三角板状であり、ノズル径方向の外側の端面は、ノズル筒部１０４の内周面に接続する。長リブ１１１および短リブ１１２は、噴出孔６からノズル径方向の外周側へ向かうに従って、前後方向の長さが大きくなる形状を有する。
【００３２】
長リブ１１１のノズル径方向の内周側の端部は、ノズル壁部１００の前側面１００ａに開口する凹部６ａの周縁よりもやや外側に位置する。長リブ１１１の内周側の端部を、ノズル径方向において凹部６ａの周縁に近づけすぎると、図２に示す隣り合う２つの長リブ１１１の内周側の端部同士の間隔Ｇ１が狭くなり、２つの長リブ１１１の間に液体が案内されにくくなる。したがって、間隔Ｇ１が液体を円滑に通過させる間隔となるように、長リブ１１１の内周側の端部の位置を設定することが好ましい。また、長リブ１１１は、噴出孔６から噴射される液体が長リブ１１１に直接触れない程度に、凹部６ａから離れた位置に配置される。長リブ１１１の前方側の端部は、前後方向において、ノズル筒部１０４の前方側の端部に位置する。すなわち、長リブ１１１のノズル壁部１００からの高さは、ノズル筒部１０４の高さと同等である。なお、長リブ１１１のノズル壁部１００からの高さは、ノズル筒部１０４の高さよりも低くてもよい。
【００３３】
長リブ１１１の前方側を向く端面の中心軸線Ｏに対する傾斜角度は、噴出孔６から噴射される液体の噴霧パターンにおける噴霧角度と同程度に設定される。上記傾斜角度は、本実施形態の場合、４５°程度である。
【００３４】
図２に示すように、長リブ１１１は、前後方向から見てノズル径方向に沿って直線状に延びる。ノズル周方向において隣り合う２つの長リブ１１１同士の間隔は、ノズル壁部１００の外周側に向かうほど広くなる。短リブ１１２は、２つの長リブ１１１同士の間隔が広くなる位置に配置される。
【００３５】
短リブ１１２のノズル径方向の内周側の端部は、長リブ１１１のノズル径方向の内周側の端部よりもノズル径方向の外側に位置する。短リブ１１２の内周側の端部の位置は、短リブ１１２の内周側の端部と、短リブ１１２に隣り合う長リブ１１１の側面との間隔Ｇ２が、液体を円滑に通過させる間隔となるように設定される。
【００３６】
短リブ１１２の前方側の端部の位置は、前後方向において、長リブ１１１の前方側の端部よりも後方側に位置する。したがって、短リブ１１２のノズル壁部１００からの高さは、ノズル筒部１０４の高さよりも低い。短リブ１１２は、ノズル径方向の長さ、およびノズル壁部１００からの高さが、いずれも長リブ１１１よりも小さい。したがって、短リブ１１２の前方側を向く端面は、長リブ１１１の前方側を向く端面よりも後方側に位置する。
【００３７】
短リブ１１２の前方側を向く端面の中心軸線Ｏに対する傾斜角度は、特に限定されず、例えば、長リブ１１１の前方側を向く端面の中心軸線Ｏに対する傾斜角度と同等とすることができる。本実施形態の場合、上記傾斜角度は、４５°程度である。
【００３８】
次に、上述のように構成されたトリガー式液体噴出器１の作用について説明する。
トリガー部１１を後方に引くと、ポンプ部１２内の液体が加圧された状態で射出筒部１０内に供給される。射出筒部１０内に供給された液体は、連通孔９５、環状空間９６、第２切換溝１０３および第１切換溝９７を通じてスピン溝内に供給される。これにより、液体が、スピン溝およびスピン室１１０をこの順に通過することで、噴出孔６からスピンがかけられた状態で噴出される。液体の噴出後、トリガー部１１を解放すると、ポンプ部１２の作用によって容器体Ａ内の液体が、ポンプ部１２内に引き上げられる。
【００３９】
上記の動作時に、使用者がトリガー部１１を少しだけ引いた場合、射出筒部１０内の圧力が不足して、噴出孔６から液体が勢いよく噴射されず、噴出孔６から漏れ出る場合がある。また、液体の噴射後に射出筒部１０内に残った圧力により、噴出孔６から微量の液体が外へ漏れ出る場合がある。このように噴出孔６から噴射されずに周辺に付着した液体は、図４（Ａ）に示すように、凹部６ａの下部に溜まる。
【００４０】
凹部６ａの下部にある程度の液体Ｌｑが溜まると、図４（Ｂ）に示すように、液体Ｌｑが自身の重さによって下側へ移動する。下側へ移動した液体Ｌｑは、長リブ１１１のノズル径方向の内周側の端部に接触し、隣り合う長リブ１１１同士の隙間に入り込む。
【００４１】
隣り合う長リブ１１１同士の隙間に入り込んだ液体Ｌｑは、図４（Ｃ）に示すように、自身の重さによってさらに下側へ移動し、長リブ１１１と短リブ１１２との隙間に入り込む。下側へ移動してノズル筒部１０４の内周面１０４ａに達した液体Ｌｑは、長リブ１１１と短リブ１１２と内周面１０４ａと前側面１００ａとに囲まれる狭い空間に保持される。ノズル筒部１０４の下部に保持された液体Ｌｑは、表面張力によってノズル筒部１０４と前側面１００ａとの接続部付近に保持される。すなわち、液体Ｌｑは、ノズル筒部１０４の前方側の開口部から見て奥まった位置に保持されるため、トリガー式液体噴出器１を傾けて使用した場合でも、ノズル筒部１０４の前方側から漏れ出にくい。
【００４２】
以上説明したように、本実施形態に係るトリガー式液体噴出器１によれば、ノズル部材５が、ノズル壁部１００の前側面１００ａとノズル筒部１０４の内周面１０４ａに接続し、前方側から見て噴出孔６を中心とするノズル径方向に沿って配置される複数のリブ１１１、１１２を有することで、噴出孔６から噴射されずに噴出孔６の周辺に付着した液体を、リブ１１１，１１２の間の狭い領域に案内し、液体の表面張力によってリブ１１１，１１２の間に保持できる。これにより、ノズル筒部１０４内に溜まった液体がノズル筒部１０４の外側へ液垂れするのを抑制できる。
また、長リブ１１１が、ノズル径方向の外周側に向かうに従って前後方向の長さが大きくなる形状を有することにより、噴出孔６から円錐状に広がるように液体を噴霧する場合でも、噴霧された液体と長リブ１１１との接触が抑制される。したがって、本実施形態のトリガー式液体噴出器１によれば、液体の噴出状態に影響を与えることなく液垂れを抑制できる。
【００４３】
本実施形態では、長リブ１１１および短リブ１１２は、前方側から見て噴出孔６を中心とするノズル周方向に等間隔に配置される。この構成によれば、ノズル周方向におけるリブ同士の間隔が一定の大きさになるので、どのリブ同士の隙間に液体が溜まっても安定に保持できる。
【００４４】
本実施形態では、ノズル部材５は、ノズル径方向において第１の長さＬ１を有する長リブ１１１と、ノズル径方向において長リブ１１１よりも短い第２の長さＬ２を有する短リブ１１２とを有し、短リブ１１２は、ノズル周方向に隣り合う長リブ１１１の間に配置される。この構成によれば、ノズル径方向の外周側の長リブ１１１同士の間隔が大きくなる領域に、短リブ１１２が配置されるため、リブ同士の間隔を狭くできる。これにより、リブ間に保持される液体とリブとの接触面積を増やすことができ、表面張力によって液体を保持しやすくなる。
【００４５】
短リブ１１２の前方側の端部は、前後方向において、長リブ１１１の前方側の端部よりも後方側に位置する。この構成によれば、長リブ１１１と短リブ１１２との間に保持される液体を、ノズル筒部１０４と前側面１００ａとの接続部付近に保持しやすくなる。これにより、ノズル筒部１０４内に溜まった液体に使用者の指等が触れにくくなる。
【００４６】
長リブ１１１の前方側の端部は、前後方向において、ノズル筒部１０４の前方側の端部に位置する。この構成によれば、ノズル筒部１０４の前方側の端部においても、長リブ１１１の側面とノズル筒部１０４の内周面１０４ａとの間の角部に、表面張力によって液体を保持可能である。これにより、ノズル筒部１０４内に多くの液体が溜まった場合にも、液垂れを抑制できる。
【００４７】
なお、本発明の技術的範囲は前記実施形態に限定されず、本発明の趣旨を逸脱しない範囲において種々の変更を加えることが可能である。
【００４８】
例えば、上記実施形態では、ノズル径方向における長さが異なる長リブ１１１と短リブ１１２とがノズル周方向において交互に配置される構成としたが、単一の長さの複数のリブが噴出孔６を中心として放射状に配置される構成であってもよい。
【００４９】
また、上記実施形態では、複数の長リブ１１１および複数の短リブ１１２が、噴出孔６の周囲を一周にわたって囲む配置としたが、噴出孔６の周囲に付着する液体を捕捉可能であれば、噴出孔６の周囲の一部領域にのみ長リブ１１１および短リブ１１２が設けられていてもよい。例えば、トリガー式液体噴出器１の使用時に、噴出孔６の下側に配置される領域にのみ長リブ１１１および短リブ１１２が設けられる構成であってもよい。
【００５０】
また、上記実施形態では、ノズル周方向において、長リブ１１１と短リブ１１２が交互に配置される構成としたが、隣り合う長リブ１１１の間に、複数の短リブ１１２が配置されていてもよい。また、全部の長リブ１１１同士の隙間に短リブ１１２を設ける必要は無く、一部の長リブ１１１同士の隙間については短リブ１１２を設けない構成としてもよい。あるいは、短リブ１１２を全く設けない構成としてもよい。
【００５１】
また、本実施形態では、長リブ１１１および短リブ１１２が、ノズル径方向の全長にわたって均一な幅（ノズル周方向の大きさ）を有する構成としたが、長リブ１１１および短リブ１１２の幅は、ノズル径方向において異ならせてもよい。例えば、長リブ１１１および短リブ１１２の幅を、ノズル径方向の外周側に向かうに従って大きくしてもよい。
【００５２】
また上記実施形態では、長リブ１１１および短リブ１１２のノズル径方向の外周側の端部が、ノズル筒部１０４の内周面１０４ａに接続する構成としたが、ノズル径方向において、長リブ１１１および短リブ１１２の少なくとも一方が、内周面１０４ａとの間に隙間を有する構成としてもよい。ノズル径方向において、長リブ１１１の外周側の端部の位置と、短リブ１１２の外周側の端部の位置が異なっていてもよい。
【００５３】
その他、本発明の趣旨に逸脱しない範囲で、前記実施形態における構成要素を周知の構成要素に置き換えることは適宜可能であり、また、前記した変形例を適宜組み合わせてもよい。
【符号の説明】
【００５４】
１…トリガー式液体噴出器
２…噴出器本体
５…ノズル部材
６…噴出孔
１００…ノズル壁部
１００ａ…前側面
１０４…ノズル筒部
１０４ａ…内周面
１１１…長リブ
１１２…短リブ
Ａ…容器体
Ｇ１，Ｇ２…間隔
Ｌ１…第１の長さ
Ｌ２…第２の長さ
Ｌｑ…液体
【図１】
2020082041.tif 000003
【図２】
2020082041.tif 000004
【図３】
2020082041.tif 000005
【図４】
2020082041.tif 000006